(57)【要約】【課題】釣り用リールのリール取付脚の表面を保護するとともに、リール取付脚をリールシートに容易に装着できるようにする。【解決手段】リール取付脚の保護カバー５０は、合成樹脂によりシート状に一体成形され、前係止部を覆う前カバー部５１と、後係止部を覆う後カバー部５２と、前カバー部５１及び後カバー部５２を連結する連結部５３とを有している。前カバー部５１及び後カバー部５２、連結部５３は、前係止部及び後係止部、本体部のリールシートに接触する部分を覆うように折り畳み装着可能に形成されている。前カバー部５１及び後カバー部５２、連結部５３は、それぞれ複数の折り返し部５１ａ及び折り返し部５２ａ、折り返し部５３ａを有している。【選択図】      図５
2004215615.tif 000002
【特許請求の範囲】
【請求項１】
釣竿のリールシートに装着される釣り用リールのリール取付脚を保護する釣り用リールの保護カバーであって、
前記リール取付脚の両端の少なくとも前記リールシートに接触する部分を覆うように合成樹脂によりシート状に形成された１対のカバー部と、
前記カバー部の前記リールシートに接触する部分に塗布された粘着剤と、
を備えた釣り用リールの保護カバー。
【請求項２】
前記リール取付脚はアルミニウム合金及びマグネシウム合金のいずれかにより形成され、前記カバー部は合成樹脂絶縁体により形成されている、請求項１に記載の釣り用リールの保護カバー。
【請求項３】
前記１対のカバー部を連結する連結部をさらに備えている、請求項１又は２に記載の釣り用リールの保護カバー。
【請求項４】
前記カバー部と前記連結部とは一体成形されている、請求項３に記載の釣り用リールの保護カバー。
【請求項５】
前記カバー部及び前記連結部のそれぞれに連続して形成され、前記リール取付脚の前記リールシートに接触する部分を覆うように折り畳み可能な折り返し部をさらに有している、請求項３又は４に記載の釣り用リールの保護カバー。
【請求項６】
前記カバー部及び前記連結部は０．０３ｍｍ以上０．８ｍｍ以下の範囲の厚みになるように形成されている、請求項３から５のいずれかに記載の釣り用リールの保護カバー。
【請求項７】
前記カバー部及び前記連結部は、セロファン、ポリエチレンテレフタレート（ＰＥＴ）及びポリプロピレン（ＰＰ）のいずれかの合成樹脂により形成されている、請求項３から６のいずれかに記載の釣り用リールの保護カバー。
【発明の詳細な説明】
【０００１】
【発明の属する技術分野】
本発明は、保護カバー、特に、釣り用リールのリール取付脚を保護する保護カバーに関する。
【０００２】
【従来の技術】
スピニングリール、両軸受リール、片軸受リール等の釣り用リールには、釣り用リールを釣竿のリールシートに取り付けるためのリール取付脚が設けられている。スピニングリールの場合には、リール取付脚は、リール本体の上部にＴ字型に一体成形されている。両軸受リールや片軸受リールの場合には、リール取付脚は、リール本体と一体又は別体で設けられている。これらのリール取付脚は、一般に、釣竿の長手方向に沿うような形状の板状部材であり、断面が釣竿の外周面に合わせて円弧状に湾曲した形状である。この種のリール取付脚は、ステンレス合金やアルミニウム合金、マグネシウム合金等の金属や合成樹脂により形成されている。
【０００３】
特にアルミニウム合金製やマグネシウム合金製のリール取付脚では、表面に酸化被膜や塗料による塗膜等の耐食膜が形成されることが多い。このような耐食膜を形成すると、リール取付脚が腐食雰囲気に曝されなくなり、耐食性を向上させることができる。
この種の金属製や合成樹脂製のリール取付脚は、両端部をリールシートに取り付ける際、リールシートとの摩擦によりリール取付脚の表面が傷ついてしまうことがある。特にリール取付脚がアルミニウム合金やマグネシウム合金等の金属により形成されている場合は、リール取付脚の表面の耐食層が傷つくと、耐食層の傷口から腐食雰囲気に曝され、リール取付脚が腐食してしまうおそれがある。
【０００４】
そこで、リール取付脚の両端の少なくともリールシートに接触する部分を覆う１対のカバー部を備えた保護カバーが知られている（たとえば、特許文献１参照）。カバー部は、たとえば伸縮性を有するゴム等の合成樹脂により形成されているので、このようなカバー部をリール取付脚に装着することにより、リール取付脚の表面を保護することができ、リール取付脚の表面が傷つきにくくなる。
【０００５】
【特許文献１】
特開２００１−２１８５４１号公報
【０００６】
【発明が解決しようとする課題】
前記従来の保護カバーでは、カバー部は伸縮性を有するゴムにより形成されているので、伸縮性を付加するために、カバー部の厚みを厚く形成する必要が生じる。このとき、リールシートの隙間よりカバー部の厚みを厚く形成すると、リール取付脚にカバー部を装着した状態で、これらをリールシートに装着しにくくなる。
【０００７】
本発明の課題は、釣り用リールのリール取付脚の表面を保護するとともに、リール取付脚をリールシートに容易に装着できるようにすることにある。
【０００８】
【課題を解決するための手段】
発明１に係る釣り用リールの保護カバーは、釣竿のリールシートに装着される釣り用リールのリール取付脚を保護する釣り用リールの保護カバーであって、リール取付脚の両端の少なくともリールシートに接触する部分を覆うように合成樹脂によりシート状に形成された１対のカバー部と、カバー部のリールシートに接触する部分に塗布された粘着剤とを備えている。
【０００９】
この釣り用リールの保護カバーでは、リール取付脚の両端に合成樹脂によりシート状に形成された１対のカバー部をそれぞれ装着し、粘着剤により固定する。そして、リール取付脚に保護カバーを装着した状態で、リール取付脚をリールシートに取り付ける。ここでは、リール取付脚の両端が合成樹脂によりシート状に形成された１対のカバー部によって覆われているので、リール取付脚に１対のカバー部を取り付けた状態での厚みを薄くでき、釣り用リールのリール取付脚の表面を保護しながら、リール取付脚をリールシートに容易に装着できる。
【００１０】
発明２に係る保護カバーは、発明１の保護カバーにおいて、リール取付脚はアルミニウム合金及びマグネシウム合金のいずれかにより形成され、カバー部は合成樹脂絶縁体により形成されている。この場合、たとえばアルミニウム合金製又はマグネシウム合金製のリール取付脚が合成樹脂絶縁体製のカバー部によって覆われているので、リールシートがマグネシウム合金等の金属よりもイオン化傾向の低い金属製である場合でも、マグネシウム合金等の金属製リール取付脚が電解腐食を起こしにくくなる。
【００１１】
発明３に係る保護カバーは、発明１又は２の保護カバーにおいて、１対のカバー部を連結する連結部をさらに備えている。この場合、１対のカバー部と連結部とが連結されており、すなわち保護カバーは１つの部材で構成されている。したがって、保護カバーが複数の部材で構成されている場合と比して、保護カバーの保管が容易になり、保護カバーの紛失を防止できる。
【００１２】
発明４に係る保護カバーは、発明３の保護カバーにおいて、カバー部と連結部とは一体成形されている。この場合、保護カバーはカバー部と連結部とが一体で形成されているので、保護カバーの形成が容易になる。
発明５に係る保護カバーは、発明３又は４の保護カバーにおいて、カバー部及び連結部のそれぞれに連続して形成され、リール取付脚のリールシートに接触する部分を覆うように折り畳み可能な折り返し部をさらに有している。この場合、折り返し部をリールシートに接触する部分を覆うように折り畳んで装着するので、リール取付脚を確実かつ容易に保護できる。
【００１３】
発明６に係る保護カバーは、発明３から５のいずれかの保護カバーにおいて、カバー部及び連結部は０．０３ｍｍ以上０．８ｍｍ以下の範囲の厚みになるように形成されている。この場合、カバー部の厚みが０．０３ｍｍ未満であるときは一般的な材料を用いた場合は破れやすく、カバー部の厚みが０．８ｍｍより厚いときは厚みが厚すぎてリールシートに装着できないことがあるが、本発明では厚みが０．０３ｍｍ以上０．８ｍｍ以下の範囲となるように強度を維持しながら厚みが薄くなるように形成されているので、リール取付脚をリールシートに容易に装着できる。
【００１４】
発明７に係る保護カバーは、発明３から６のいずれかの保護カバーにおいて、カバー部及び連結部は、セロファン、ポリエチレンテレフタレート（ＰＥＴ）及びポリプロピレン（ＰＰ）のいずれかの合成樹脂により形成されている。この場合、カバー部及び連結部は、一般的に高強度かつ加工容易なセロファン、ポリエチレンテレフタレート（ＰＥＴ）及びポリプロピレン（ＰＰ）のいずれかの合成樹脂により形成されているので、カバー部の着脱を繰り返してもカバー部がへたりにくくなる。
【００１５】
【発明の実施の形態】
本発明の一実施形態を採用した釣り用リールは、図１及び図２に示すように、ベイトキャスト用のロープロフィール型の両軸受リールである。この両軸受リールは、リール本体１と、リール本体１の側方に配置されたスプール回転用ハンドル２と、リール本体１の内部に回転自在かつ着脱自在に装着された糸巻き用のスプール１２とを備えている。ハンドル２のリール本体１側には、ドラグ調整用のスタードラグ３が設けられている。ハンドル２は、板状のハンドルアーム２ａと、ハンドルアーム２ａの両端に回転自在に装着された把手部２ｂとを有するダブルハンドル形のものである。
【００１６】
リール本体１は、釣竿Ｒに装着されたリールシートＲＳに装着される。リールシートＲＳは、図３に示すように、釣竿Ｒに固定されたシート本体ＳＨと、シート本体ＳＨに回転不能かつ前後移動自在に装着された前フードＦＦと、シート本体ＳＨの後部に一体で形成された後フードＲＦとを有している。前フードＦＦには、前グリップＦＧが回転自在かつ軸方向移動不能に連結されており、前グリップＦＧは、シート本体ＳＨにねじ結合されている。このような構成のリールシートＲＳでは、前グリップＦＧを回転させることで前フードＦＦが前後進し、前フードＦＦと後フードＲＦとの間の距離を調整可能である。
【００１７】
リール本体１は、図２に示すように、フレーム５と、フレーム５の両側方に装着された第１側カバー６ａ及び第２側カバー６ｂとを有している。第１側カバー６ａは、フレーム５に開閉自在に装着され、第２側カバー６ｂは、フレーム５にビス止めされている。また、リール本体１は、前方を覆う前カバー７と、上部を覆うサムレスト８とを有している。前カバー７及びサムレスト８は、いずれもフレーム５にビス止めされている。
【００１８】
フレーム５は、図２及び図３に示すように左右（釣竿Ｒの長手方向と交差する方向）に所定の間隔をあけて互いに対向するように配置された第１側板５ａ及び第２側板５ｂと、第１側板５ａ及び第２側板５ｂを連結するように第１側板５ａ及び第２側板５ｂと一体で形成された複数の連結部５ｃ（図３参照）とを有している。下側の２つの連結部５ｃには、リールを釣竿ＲのリールシートＲＳに装着するための前後（釣竿Ｒの長手方向）に長いリール取付脚４が２本のボルト９により締結されている。
【００１９】
リール取付脚４は、図３及び図４に示すように、前後に長く形成されたアルミニウム合金製又はマグネシウム合金製の矩形棒状の本体部２０と、本体部２０の前端に設けられた前係止部２１と、本体部２０の後端に設けられた後係止部２２とを有している。これらの前係止部２１及び後係止部２２は後述する保護カバー５０が後述する粘着剤６０により装着固定された状態で、リールシートＲＳの前フードＦＦ及び後フードＲＦにそれぞれ取り付けられる。
【００２０】
保護カバー５０は、セロファン、セロファン、ポリエチレンテレフタレート（ＰＥＴ）及びポリプロピレン（ＰＰ）のいずれかの合成樹脂によりシート状に一体成形され、図４に示すように、前係止部２１を覆う前カバー部５１と、後係止部２２を覆う後カバー部５２と、本体部２０の釣竿Ｒ接触面に沿って前カバー部５１及び後カバー部５２を連結する連結部５３とを有している。また、前カバー部５１及び後カバー部５２、連結部５３は、０．０３ｍｍ以上０．８ｍｍ以下の範囲の厚みになるように形成されている。
【００２１】
前カバー部５１及び後カバー部５２、連結部５３は、図５に示すように、前係止部２１及び後係止部２２、本体部２０のリールシートＲＳに接触する部分を覆うように折り畳み装着可能に形成されている。前カバー部５１及び後カバー部５２、連結部５３は、それぞれ複数の折り返し部５１ａ及び折り返し部５２ａ、折り返し部５３ａを有している。また、連結部５３は前後方向に伸縮自在であり、前カバー部５１及び後カバー部５２を含む前後方向の長さは、リール取付脚４の前後方向の長さと略同一若しくはやや短くなるように形成されている。
【００２２】
保護カバー５０をリール取付脚４に装着するには、前カバー部５１及び後カバー部５２、連結部５３のリールシートＲＳに接触する部分に粘着剤６０を塗布する。そして、前カバー部５１及び後カバー部５２、連結部５３の折り返し部５１ａ及び折り返し部５２ａ、折り返し部５３ａをそれぞれ折り畳んで前係止部２１及び後係止部２２、本体部２０に前カバー部５１及び後カバー部５２、連結部５３を固定する。
【００２３】
そして、保護カバー５０が装着されたリール取付脚４をリールシートＲＳに取り付けるには、前グリップＦＧをたとえば反時計回りに回すことにより前フードＦＦを前方（図３の左方）に移動させ、前フードＦＦと後フードＲＦとの距離をリール取付脚４が装着可能なスペースを生成する。このスペースに保護カバー５０が装着されたリール取付脚４を取り付けた後、前グリップＦＧを逆方向（時計回り）に回すことで前フードＦＦを後方に移動させ、リール取付脚４を固定する。
【００２４】
このとき、リール取付脚４には保護カバー５０が装着され、前係止部２１及び後係止部２２にはそれぞれ前カバー部５１及び後カバー部５２が装着されている。このため、前係止部２１及び後係止部２２が、それぞれ前フードＦＦ及び後フードＲＦに直接的に接触することがなく、リール取付脚４の表面を保護することができる。
【００２５】
さらに、この保護カバー５０では、リール取付脚４の両端が合成樹脂によりシート状に形成された前カバー部５１及び後カバー部５２によって覆われているので、リール取付脚４に前カバー部５１及び後カバー部５２を取り付けた状態での厚みを薄くでき、リール取付脚４をリールシートＲＳに容易に装着できる。
〔他の実施形態〕
（ａ）  前記実施形態では、釣り用リールとして両軸受リールを例に説明したが、本発明はこれに限定されるものではなく、両軸受リールの他にスピニングリールや片軸受リールにも本発明を適用できる。
【００２６】
本発明の他の実施形態を採用したスピニングリールは、図６に示すように、釣竿ＲＤに設けられ前フードＦＦ及び後フードＲＦを有するリールシートＲＳに装着され、ハンドル１０１を回転自在に支持するリール本体１０２と、ロータ１０３と、スプール１０４とを備えている。ロータ１０３はリール本体１０２の前部に回転自在に支持されている。スプール１０４は、釣り糸を外周面に巻き取るものであり、ロータ１０３の前部に前後移動自在に配置されている。
【００２７】
リール本体１０２は、リールボディ１０２ａと、リールボディ１０２ａから斜め上前方に一体的に延びる竿取付脚１０２ｂとを有している。竿取付脚１０２ｂは腐食性を有するマグネシウム合金製の部材であり、竿取付脚１０２ｂの端部にはＴ字状に形成されたリール取付脚１４０が一体成形されている。リール取付脚１４０の両端の前係止部１４１及び後係止部１４２には、合成樹脂によりシート状に形成された保護部材１５０である前カバー部１５１及び後カバー部１５２が図示しない粘着剤により装着固定されている。
【００２８】
このスピニングリールでは、前記実施形態と同様に、リール取付脚１４０の両端が合成樹脂によりシート状に形成された前カバー部１５１及び後カバー部１５２によって覆われているので、リール取付脚１４０の表面を保護するとともに、リール取付脚１４０に前カバー部１５１及び後カバー部１５２を取り付けた状態での厚みを薄くでき、リール取付脚１４０をリールシートＲＳに容易に装着できる。
【００２９】
（ｂ）  前記実施形態において、保護カバー５０はセロファン、セロファン、ポリエチレンテレフタレート（ＰＥＴ）及びポリプロピレン（ＰＰ）のいずれかの合成樹脂により形成されていたが、これらに限定されるものではない。
（ｃ）  前記実施形態において、前カバー部５１及び後カバー部５２と連結部５３とは一体成形されていたが、前カバー部５１及び後カバー部５２と連結部５３とを別体で構成してもよい。また、保護カバー５０の展開形状は、前記実施形態に限定されるものではない。たとえば、図７に示すように、連結部５３にのみ複数の折り返し部５３ａを設けた構成にしてもよい。複数の折り返し部５３ａの鋭角部分５３ｂは、丸みを帯びて形成されており、このため保護カバー５０が剥がれにくくなる。なお、前カバー部５１及び後カバー部５２に折り返し部がある場合、折り返し部の鋭角部分を丸みを帯びて形成してもよい。また、前係止部２１及び後係止部２２のリールシートＲＳに接触しない両端部分に折り畳まれる部分に切り欠き部５４を設けてもよい。
【００３０】
（ｄ）  前記実施形態において、リール取付脚４はアルミニウム合金製又はマグネシウム合金製であったが、これに限定されるものではなく、他の金属製部材によりリール取付脚４を形成してもよい。
（ｅ）  前記実施形態では、保護カバー５０は粘着剤６０を後から塗布していたが、たとえば予め粘着剤６０が塗布されたシール状の保護カバー５０を用いてもよい。
【００３１】
【発明の効果】
本発明によれば、リール取付脚の両端が合成樹脂によりシート状に形成された１対のカバー部によって厚みが薄くなるように覆われているので、釣り用リールのリール取付脚の表面を保護しながら、リール取付脚をリールシートに容易に装着することができる。
【図面の簡単な説明】
【図１】本発明の一実施形態が採用された両軸受リールの斜視図。
【図２】前記両軸受リールの平面図。
【図３】前記両軸受リールの釣竿に装着された状態における断面図。
【図４】保護カバー周辺の拡大断面図。
【図５】保護カバーを展開したときの平面図。
【図６】本発明の他の実施形態が採用されたスピニングリールの側面図。
【図７】他の実施形態の図５に相当する図。
【符号の説明】
１  リール本体
４  リール取付脚
２０  本体部
２１  前係止部
２２  後係止部
５０  保護カバー
５１  前カバー部
５１ａ  折り返し部
５２  後カバー部
５２ａ  折り返し部
５３  連結部
５３ａ  折り返し部
６０  粘着剤
Ｒ  釣竿
ＲＳ  リールシート
【図１】
2004215615.tif 000003
【図２】
2004215615.tif 000004
【図３】
2004215615.tif 000005
【図４】
2004215615.tif 000006
【図５】
2004215615.tif 000007
【図６】
2004215615.tif 000008
【図７】
2004215615.tif 000009